(57)【要約】【課題】湖、ダム湖、濠、内海等のようにＢＯＤを低濃度にしか含まず、しかも藍藻類が発生しやすい閉鎖性水域における窒素成分の除去を効率的に行い、毒素であるミクロシスチンを生成する藍藻類の増殖を抑制すると共に、処理による環境の二次汚染を防止する。【解決手段】  ＢＯＤを低濃度にしか含まない閉鎖性水域の原水に含まれる窒素成分を除去する窒素除去方法において、原水をメタン醗酵のグラニュール汚泥と接触させる。【選択図】  図１
2008068233.tif 000002
【特許請求の範囲】
【請求項１】
ＢＯＤを低濃度にしか含まない閉鎖性水域の原水に含まれる窒素成分を除去する窒素除去方法において、
前記原水をメタン醗酵のグラニュール汚泥と接触させることを特徴とする窒素除去方法。
【請求項２】
前記原水に含まれるＢＯＤが５０ｍｇ／Ｌ以下であることを特徴とする請求項１に記載の窒素除去方法。
【請求項３】
前記原水に藍藻類が含まれることを特徴とする請求項１又は２に記載の窒素除去方法。
【請求項４】
前記グラニュール汚泥を前記原水に直接散布することにより、前記原水に含まれる窒素成分を除去することを特徴とする請求項１〜３の何れか１項に記載の窒素除去方法。
【請求項５】
前記グラニュール汚泥は、補酵素Ｆ４２０を２００μｍｏｌ／ｋｇ−ＶＳＳ以上含有することを特徴とする請求項１〜４の何れか１項に記載の窒素除去方法。
【請求項６】
ＢＯＤを低濃度にしか含まない閉鎖性水域の原水に含まれる窒素成分を除去する窒素除去装置において、
前記原水を処理するための分解処理槽と、
前記分解処理槽内に充填されたメタン醗酵のグラニュール汚泥又は該グラニュール汚泥を固定化した包括固定化担体と、
前記分解処理槽内に充填された生分解性有機物と、
を備えたことを特徴とする窒素除去装置。
【請求項７】
ＢＯＤを低濃度にしか含まない閉鎖性水域の原水に含まれる窒素成分を除去する窒素除去装置において、
内部に、メタン醗酵のグラニュール汚泥が充填されると共に、浮き部材によって前記藍藻類が発生した水域に浮遊可能な分解処理槽と、
前記分解処理槽に形成され、前記原水を前記分解処理槽内に導入するための複数の導入口と、
前記分解処理槽に形成され、前記分解処理槽内で処理された処理水を排出するための排出口と、
前記分解処理槽に設置され、前記原水を前記分解処理槽内に導入し、前記分解処理槽内で処理された処理水を排出する循環水流を発生させるための循環手段と、
前記分解処理槽内に設けられ、前記グラニュール汚泥を前記処理水から分離する分離手段と、
を備えたことを特徴とする窒素除去装置。
【請求項８】
前記グラニュール汚泥は、補酵素Ｆ４２０が２００μｍｏｌ／ｋｇ−ＶＳＳ以上含有されたことを特徴とする請求項６又は７に記載の窒素除去装置。
【請求項９】
前記分解処理槽が、嫌気性又は微好気性に維持されることを特徴とする請求項６〜８の何れか１項に記載の窒素除去装置。
【発明の詳細な説明】
【技術分野】
【０００１】
本発明は、窒素除去方法及び窒素除去装置に関し、特に、湖沼、ダム、濠、内海等の閉鎖性水域に発生する藍藻類の増殖原因である窒素成分（ＮＨ４−Ｎ、ＮＯ３−Ｎ、ＮＯ２−Ｎ及び有機態窒素等）を除去する窒素除去方法及び窒素除去装置に関する。
【背景技術】
【０００２】
１９２２年に本格的な下水処理が東京都の三河島処理場で開始されて以来、活性汚泥法による下水処理が普及している。特に、大都市では下水処理に関する集中的な投資が行われ、下水道普及率が９０％を超えるまでに至った。しかしながら、閉鎖性水域での環境基準の達成率はほとんど改善されていない。これは、流入する排水の外部要因が解消されつつあるのに対して、水域の内部要因、即ち藻類の異常繁殖によるものが大きいといわれている。湖沼やダム、濠、内海等の閉鎖性水域が下水等の流入によって富栄養化すると、水域中の藍藻類、例えばミクロシステス属の藍藻が大量に増殖し、所謂アオコが発生する。発生したアオコを構成する藍藻類には、アオコ毒と呼ばれるミクロシスチンを産出するものが多く存在するため、閉鎖性水域がミクロシスチンで汚染される。ミクロシスチンは、７種類のアミノ酸から成る環状ペプチドで構成され、人や家畜に対して肝臓の毒性や発がん性を有するものとして知られている。
【０００３】
閉鎖性水域から検出されるミクロシスチンの代表的なものであるミクロシスチンＬＲ、ミクロシスチンＲＲ及びミクロシスチンＹＲは、人や家畜が経口摂取すると中毒症状をもたらす。これらミクロシスチンによる中毒は、非特許文献１及び２に記載されているように、国内外や人畜を問わず各地で報告されているが、これらミクロシスチンによる肝臓疾患のメカニズムについては未だ解明されておらず、有効な治療方法がないのが現状である（下記非特許文献１、２参照）。
【０００４】
この毒素であるミクロシスチンの生成を抑制するためには、アオコの増殖を抑制する必要がある。このような方法として、１）アオコ増殖を抑えるための増殖阻害物質であるリジンの添加（例えば、特許文献１）、２）アオコを殺すための銅イオンの水圏への添加（例えば、特許文献２）、３）超音波アオコ細胞破壊機によるアオコ殺藻（例えば、特許文献３）、４）アオコ増殖必須基質である窒素成分の除去、等が試みられている。また、産生したミクロシスチンを分解する方法としては、オゾン酸化、塩素による酸化等が試みられている。
【特許文献１】特開２００３−２６１４０８号公報
【特許文献２】特開２００３−１１３０１２号公報
【特許文献３】特開２００１−７３３５０号公報
【非特許文献１】渡辺真理代、「アオコ」東京大学出版会（１９９９）
【非特許文献２】原田健一、「有毒藍藻類をめぐる最近の研究動向」Ｊｏｕｒｎａｌ  ｏｆ  Ｈｅａｌｔｈ  Ｓｃｉｅｎｃｅ、４５（３）１５０−１６５（１９９９）
【発明の開示】
【発明が解決しようとする課題】
【０００５】
しかしながら、上記特許文献１では、有機物であるリジンを水圏に投与するので、水圏中のＢＯＤを増大させ、有機物による二次汚染を引き起こす虞があった。また、上記特許文献２では、水圏中に銅イオンが含まれるため、飲料水としては好ましくなかった。また、上記特許文献３では、超音波の大量エネルギーが必要であり、分解された細胞を起因とする有機物の二次汚染が発生する虞があった。
【０００６】
また、上記４）の方法のように、水域を生物学的に窒素除去する際、大量の有機物（メタノール等）が必要となる。しかし、水圏の浄化にメタノールを添加するのはコストがかかるだけでなく、有機物による二次汚染の原因になるという問題があった。
【０００７】
さらに、ミクロシスチンを分解するのに用いられるオゾンや塩素は強力な酸化剤であるため、トリハロメタン等の毒性を有する副産物が生成し、これによる二次汚染の発生が問題であった。
【０００８】
本発明はこのような事情に鑑みてなされたもので、湖、ダム湖、濠、内海等のようにＢＯＤを低濃度にしか含まず、しかも藍藻類が発生しやすい閉鎖性水域における窒素成分の除去を効率的に行うことができ、毒素であるミクロシスチンを生成する藍藻類の増殖を抑制すると共に、処理による環境の二次汚染を防止できるメタン醗酵のグラニュール汚泥、該グラニュール汚泥を用いた包括固定化担体、窒素除去方法及び窒素除去装置を提供することを目的とする。
【課題を解決するための手段】
【０００９】
本発明の請求項１は前記目的を達成するために、ＢＯＤを低濃度にしか含まない閉鎖性水域の原水に含まれる窒素成分を除去する窒素除去方法において、前記原水をメタン醗酵のグラニュール汚泥と接触させることを特徴とする窒素除去方法を提供する。
【００１０】
メタン醗酵のグラニュール汚泥（メタン生成菌を含むグラニュール汚泥ともいう）は、本来、有機体窒素を分解し、アンモニア性窒素を発生させるものとして知られている。また、低ＢＯＤ濃度の廃水処理には、従属性の脱窒反応に必要な有機物が少ないため不向きであるといわれている。しかしながら、本発明者らは、メタン醗酵のグラニュール汚泥が低ＢＯＤ濃度の水（例えば、閉鎖性水域）の窒素成分除去に適していることを見出した。
【００１１】
本発明はこのような知見に基づいてなされたものであり、湖、ダム湖、濠、内海等のようにＢＯＤを低濃度にしか含まず、しかも藍藻類が発生しやすい閉鎖性水域における窒素成分の除去を効率的に行うことができ、毒素であるミクロシスチンを生成する藍藻類の増殖を抑制でき、更に処理による環境の二次汚染を防止できる。
【００１２】
請求項２は請求項１において、前記原水に含まれるＢＯＤが５０ｍｇ／Ｌ以下であることを特徴とする。
【００１３】
このように、低ＢＯＤ濃度の原水でも効率的に窒素除去することができる。また、原水のＢＯＤが２０ｍｇ／Ｌ以下である場合でも、同様の効果を得ることができる。
【００１４】
請求項３は請求項１又は２において、前記原水に藍藻類が含まれることを特徴とする。
【００１５】
請求項３によれば、藍藻類により生成されるミクロシスチン自体が有機態窒素を含むので、ミクロシスチンの分解を行うことができる。
【００１６】
請求項４は請求項１〜３の何れか１項において、前記グラニュール汚泥を前記原水に直接散布することにより、前記原水に含まれる窒素成分を除去することを特徴とする。
【００１７】
請求項５は請求項１〜４の何れか１項において、前記グラニュール汚泥は、補酵素Ｆ４２０を２００μｍｏｌ／ｋｇ−ＶＳＳ以上含有することを特徴とする。
【００１８】
請求項５は、閉鎖性水域中の窒素成分を高効率で除去できる、好ましいメタン醗酵活性の範囲を示したものである。補酵素Ｆ４２０の含有量は、Ｍ．Ｓ．Ｓｗｉｔｚｅｎｂａｕｍ法の変法（第４図、神鋼パンテック技報、Ｖｏｌ．３８．Ｎｏ．２、１９９４年８月出版）の記載に従って、測定することができる。
【００１９】
本発明の請求項６は前記目的を達成するために、ＢＯＤを低濃度にしか含まない閉鎖性水域の原水に含まれる窒素成分を除去する窒素除去装置において、前記原水を処理するための分解処理槽と、前記分解処理槽内に充填されたメタン醗酵のグラニュール汚泥又は該グラニュール汚泥を固定化した包括固定化担体と、前記分解処理槽内に充填された生分解性有機物と、を備えたことを特徴とする窒素除去装置を提供する。
【００２０】
請求項６によれば、生分解性有機物を従属性の脱窒反応に利用できるので、原水を効率良く脱窒することができる。
【００２１】
本発明の請求項７は前記目的を達成するために、ＢＯＤを低濃度にしか含まない閉鎖性水域の原水に含まれる窒素成分を除去する窒素除去装置において、内部に、メタン醗酵のグラニュール汚泥が充填されると共に、浮き部材によって前記藍藻類が発生した水域に浮遊可能な分解処理槽と、前記分解処理槽に形成され、前記原水を前記分解処理槽内に導入するための複数の導入口と、前記分解処理槽に形成され、前記分解処理槽内で処理された処理水を排出するための排出口と、前記分解処理槽に設置され、前記原水を前記分解処理槽内に導入し、前記分解処理槽内で処理された処理水を排出する循環水流を発生させるための循環手段と、前記分解処理槽内に設けられ、前記グラニュール汚泥を前記処理水から分離する分離手段と、を備えたことを特徴とする窒素除去装置を提供する。
【００２２】
請求項７によれば、分解処理槽を、浮き部材により閉鎖性水域の水面下に浮遊させることができるので、地表に設置スペースを確保する必要がなくなる上、閉鎖性水域を広範囲にわたって浄化することができる。
【００２３】
請求項８は請求項６又は７において、前記グラニュール汚泥は、補酵素Ｆ４２０が２００μｍｏｌ／ｋｇ−ＶＳＳ以上含有されたことを特徴とする。
【００２４】
請求項９は請求項６〜８の何れか１項において、前記分解処理槽が、嫌気性又は微好気性に維持されることを特徴とする。
【００２５】
請求項９によれば、脱窒を高効率で行うことができる。ここで、微好気性とは、分解処理槽内の水中の溶存酸素ＤＯが０．５〜３ｐｐｍ程度をいう。
【発明の効果】
【００２６】
本発明によれば、湖、ダム湖、濠、内海等のようにＢＯＤを低濃度にしか含まず、しかも藍藻類が発生しやすい閉鎖性水域における窒素成分の除去を効率的に行うことができ、毒素であるミクロシスチンを生成する藍藻類の増殖を抑制すると共に、処理による環境の二次汚染を防止できる。
【発明を実施するための最良の形態】
【００２７】
本発明者らは、従来、窒素除去には不向きとされていたメタン醗酵のグラニュール汚泥が、低ＢＯＤ濃度の閉鎖性水域（以下、原水という）の窒素除去には顕著な効果を発揮することを見出した。このメカニズムは未だ不明な部分もあるが、本発明者らによると、メタン醗酵のグラニュール汚泥に含まれるメタン生成菌の自己分解作用、及び原水に含まれる微量の有機物からメタン及び水素が生成されると共に、同グラニュール汚泥中又は原水中の脱窒細菌等により従属栄養性の脱窒反応が起こっているものと推測されている。一方、本発明者らによると、嫌気性アンモニア酸化反応が関与している可能性も示唆されている。
【００２８】
以下、本発明に係るメタン醗酵のグラニュール汚泥、該グラニュール汚泥を用いた包括固定化担体の好ましい実施の形態について説明する。
【００２９】
本発明におけるメタン醗酵のグラニュール汚泥は、メタン生成菌を含む細胞外ポリマーに覆われた汚泥粒子であり、微生物の自己造粒作用により粒状化したものである。メタン醗酵のグラニュール汚泥の活性は、メタン生成菌固有の物質である補酵素Ｆ４２０の含有量により判断することができる。補酵素Ｆ４２０の化学構造を以下に示す。
【００３０】
【化１】
2008068233.tif 000003
【００３１】
メタン醗酵のグラニュール汚泥の補酵素Ｆ４２０の含有量が、１００μｍｏｌ／ｋｇ−ＶＳＳ以上であることが好ましく、２００μｍｏｌ／ｋｇ−ＶＳＳ以上であることがより好ましい。補酵素Ｆ４２０の含有量は、Ｍ．Ｓ．Ｓｗｉｔｚｅｎｂａｕｍ法の変法（第４図、神鋼パンテック技報、Ｖｏｌ．３８．Ｎｏ．２、１９９４年８月出版）の記載に従って、測定することができる。
【００３２】
メタン醗酵のグラニュール汚泥の平均粒径は０．５〜３ｍｍであり、ＳＶＩ（Ｓｌｕｄｇｅ  Ｖｏｌｕｍｅ  Ｉｎｄｅｘ）は１０〜２０ｍｌ／ｇであり、灰分含量は５〜６０質量％であり、圧縮強度は１〜３ｋｇ−ｆ／ｃｍ２であることが好ましい。
【００３３】
ＵＡＳＢ（Ｕｐｆｌｏｗ  Ａｎａｅｒｏｂｉｃ  Ｓｌｕｄｇｅ  Ｂｌａｎｋｅｔ：上向流嫌気性スラッジブランケット）法もしくはＥＧＳＢ（Ｅｘｐａｎｄｅｄ  Ｇｒａｎｕｌａｒ  Ｓｌｕｄｇｅ  Ｂｅｄ：膨張粒状汚泥床）法においては、一般的に、有機酸発酵とメタン発酵を別々の反応器で行い、有機酸発酵による酸生成液をグラニュール汚泥からなるスラッジブランケットを形成したＵＡＳＢ方式のメタン発酵槽に上向流で通水してメタン発酵を行わせる。このように、グラニュール汚泥は有機酸発酵とメタン発酵とを二段階に分離して行う二相式のメタン発酵で形成するのが好ましいが、有機酸発酵とメタン発酵を一個の反応器で行う一相式のメタン発酵で形成することもできる。
【００３４】
メタン醗酵のグラニュール汚泥は、特別な装置、操作、条件などを選択して粒状化したグラニュール汚泥である必要はなく、公知の方法で一般的にメタン発酵が行われている処理において発生するグラニュール汚泥をそのまま使用することができる。例えば、メタン醗酵は、高温メタン発酵、中温メタン発酵のいずれでもよい。
【００３５】
上記メタン醗酵のグラニュール汚泥は、そのまま分解処理槽に投入して使用することができるが、１）固定化材料にメタン醗酵のグラニュール汚泥等を付着固定した付着固定化担体を用いる方法や、２）固定化材料にメタン醗酵のグラニュール汚泥等を包括固定した包括固定化担体を用いる方法等、が挙げられる。
【００３６】
上記１）の付着固定化担体を用いる場合、固定化材料は、メタン醗酵のグラニュール汚泥等が付着し易い凹凸が多く形成されている材料を用いることが好ましく、例えば、球状や筒状等の担体、ひも状材料、ゲル状担体、不織布状材料等を好適に使用することができる。これにより、Ｔ−Ｎ除去率を向上できる。
【００３７】
上記２）の包括固定化担体を用いる場合、包括固定化担体は以下のように製造することができる。
【００３８】
図１は、本発明に係る包括固定化担体の製造方法の一例を示したフローチャートである。
【００３９】
図１に示されるように、先ず、固定化材料としてポリエチレングリコールプレポリマー（以下、ＰＥＧという）と、重合促進剤としてＮＮＮ'Ｎ’−テトラメチルエチレンジアミンとを混合した混合液を、ｐＨを中性付近（６．５〜８．５）に調整したゲル原料液を調製する。次いで、このゲル原料液に、上記で製造したグラニュール汚泥を混合して攪拌し、懸濁液を調製する。次いで、上記懸濁液に重合開始剤として過硫酸カリウムを添加して攪拌した後、直ちにシート形状又はブロック形状にゲル化させる（重合させる）。このときの重合温度は１５〜４０℃、好ましくは２０〜３０℃で、重合時間は１〜６０分、好ましくは１０〜６０分である。そして、ゲル化させたシート又はブロックを所定のサイズ（例えば、略３ｍｍ角の立方体状）に切断し、本発明に係る包括固定化担体を得ることができる。包括固定化担体の形状は、特に限定されることはなく、円筒状、球状に切断してもよい。また、包括固定化担体の製造方法は、上記した方法に限らず、チューブ成形法、滴下造粒法等を採用することもできる。
【００４０】
包括固定化する微生物としては、上記メタン醗酵のグラニュール汚泥だけでもよいが、更に硝化細菌又は硝化細菌群、脱窒細菌群、嫌気性アンモニア酸化細菌群等の複合微生物や、ダイオキシン類などの特定の有害化学物質を分解する能力をもった微生物（例えば、アオコ分解菌、ＰＣＢ分解菌、ダイオキシン分解菌、環境ホルモン分解菌等の純粋微生物等）が含まれてもよい。これらの微生物は、培養等により濃縮分離された微生物の他に、下水処理場の活性汚泥、湖沼、河川や海の汚泥、浄水汚泥、土壌などの各種の微生物を含む微生物含有物も含まれる。これにより、脱窒反応をより確実に行うことができる。
【００４１】
メタン醗酵のグラニュール汚泥を含む上記微生物を、包括固定化担体に対して１〜３質量％固定化することが好ましい。
【００４２】
固定化材料としては、各種モノマー、プレポリマー、オリゴマー等が挙げられるが、特に限定されるものではない。モノマーとしては、例えば、アクリルアミド、メチレンビスアクリルアミド、トリアクリルフォルマール等を使用することができる。プレポリマーとしては、例えば、ポリエチレングリコールジアクリレート、ポリエチレングリコールメタアクリレート、及びこれらの誘導体等を使用することができる。その他、ポリアクリルアミド、ポリビニルアルコール、ポリエチレングリコール、アルギン酸ナトリウム、カラギーナン、寒天、アクリル酸、ジメチルアクリルアミド等を使用することができる。
【００４３】
包括固定化担体の重合は、過硫酸カリウムを用いたラジカル重合が最適であるが、紫外線や電子線を用いた重合やレドックス重合でもよい。過硫酸カリウムを用いた重合では、過硫酸カリウムの添加量を０．００１〜０．２５質量％とし、アミン系の重合促進剤の添加量を０．０１〜０．５質量％とすることが好ましい。アミン系の重合促進剤としては、βジメチルアミノプロピオニトリル、ＮＮＮ’Ｎ’テトラメチルエチレンジアミン等を好ましく使用することができる。
【００４４】
なお、付着固定又は包括固定するメタン醗酵のグラニュール汚泥は、カッターポンプ、ミル、ホモジナイザなどの破砕装置により破砕したものを使用することが好ましい。破砕後のメタン醗酵のグラニュール汚泥の平均粒子径は、０．５〜１ｍｍであることがより好ましい。
【００４５】
上記の如く製造した本発明に係るメタン醗酵のグラニュール汚泥、又は該グラニュール汚泥を固定化した包括固定化担体を用いて、水域等の原水に含まれる窒素成分を除去する方法、及び窒素除去装置の好ましい実施形態について以下に説明する。
【００４６】
［第１実施形態］
図２は、本実施形態の窒素除去装置１０の構成を説明する説明図である。なお、本実施形態は、分解処理槽内に本発明に係るメタン醗酵のグラニュール汚泥を充填して水域の水と接触させることにより、水域の窒素成分を除去する例である。以下、窒素除去される前の水域の水を原水といい、窒素除去された後の水を処理水という。
【００４７】
図２に示されるように、窒素除去装置１０は、主として、原水に含まれる窒素成分を除去する分解処理槽１２と、下部から分解処理槽１２内へ原水を導入する導入配管１４と、分解処理槽１２内で処理した後の処理水を分解処理槽１２の上部から排出する排出配管１６と、を備えている。
【００４８】
分解処理槽１２内には、本発明に係るメタン醗酵のグラニュール汚泥１８が充填され、攪拌混合可能になっている。メタン醗酵のグラニュール汚泥１８の充填率は、２０〜７０％にすることが好ましい。滞留時間は、原水中の窒素除去に必要且つ十分な程度に設定される。分解処理槽１２内は、嫌気性又は微好気性（微好気性とは、溶存酸素ＤＯ：０．５〜３ｐｐｍ程度をいう）に維持されている。
【００４９】
次に、本実施形態の窒素除去装置１０の作用について説明する。
【００５０】
まず、水域から取り込んだ原水は、導入配管１４を介して分解処理槽１２内に導入される。次いで、分解処理槽１２内に充填されたメタン醗酵のグラニュール汚泥１８と原水が接触する。このとき、メタン醗酵のグラニュール汚泥１８に含まれるメタン生成菌と共存菌の作用により、原水中の窒素成分が除去される。その後、窒素成分が除去された処理水が排出配管１６から排出され、水域に返送される。
【００５１】
これにより、湖、ダム湖、濠、内海等のようにＢＯＤを低濃度にしか含まず、しかも藍藻類が発生しやすい閉鎖性水域における窒素成分の除去を効率的に行うことができ、毒素であるミクロシスチンを生成する藍藻類の増殖を抑制すると共に、処理による環境の二次汚染を防止できる。
【００５２】
［第２実施形態］
図３は、本実施形態の窒素除去装置２０の構成を説明する説明図である。なお、本実施形態は、本発明に係る包括固定化担体と、生分解性プラスチック（生分解性有機物）を充填した分解処理槽内に原水を通水し、原水に含まれる窒素成分を除去する例である。
【００５３】
図３に示されるように、窒素除去装置２０は、分解処理槽１２内に更に生分解性プラスチック４４を備えたこと以外は、図２と同様に構成されている。図３において、図２と同一の部材については同じ符号を付し、その詳細な説明は省略する。
【００５４】
分解処理槽１２内の下方には本発明に係るメタン醗酵のグラニュール汚泥１８が充填され、分解処理槽１２内の上方には、生分解性プラスチック４４が充填されている。メタン醗酵のグラニュール汚泥１８の充填率は、１０〜３０％とすることが好ましい。滞留時間は、原水中の窒素除去に必要且つ十分な程度に設定される。分解処理槽１２内は、嫌気性、又は微好気性（溶存酸素ＤＯ：０．５〜３ｐｐｍ）に維持されている。
【００５５】
生分解性プラスチック４４としては、例えば、ポリカプロラクタム、ポリ乳酸、高級脂肪酸等が使用できる。生分解性プラスチック４４の粒径は、特に限定されないが、５ｍｍ以下であることが好ましい。生分解性プラスチック４４の充填率は、充填するメタン醗酵のグラニュール汚泥量に対して２〜５０質量％とすることが好ましい。
【００５６】
次に、本実施形態の窒素除去装置２０の作用について説明する。
【００５７】
まず、水域から取り込んだ原水は、導入配管１４を介して分解処理槽１２内に導入される。次いで、分解処理槽１２内に充填されたメタン醗酵のグラニュール汚泥１８と原水が接触する。このとき、メタン醗酵のグラニュール汚泥１８に含まれるメタン生成菌の作用により、原水中の窒素成分が除去される。その後、窒素成分が除去された処理水は排出配管１６から排出され、水域に返送される。
【００５８】
これにより、湖、ダム湖、濠、内海等のようにＢＯＤを低濃度にしか含まず、しかも藍藻類が発生しやすい閉鎖性水域における窒素成分の除去を効率的に行うことができ、毒素であるミクロシスチンを生成する藍藻類の増殖を抑制すると共に、処理による環境の二次汚染を防止できる。また、生分解性プラスチックを従属性の脱窒反応に利用できるので、原水中の窒素成分を効率的に除去することができる。
【００５９】
［第３実施形態］
図４は、本実施形態の窒素除去装置３０の構成を説明する説明図である。なお、本実施形態は、本発明に係る包括固定化担体を充填した分解処理槽を水域に浮かべて、原水に含まれる窒素成分を除去する例である。
【００６０】
図４に示されるように、窒素除去装置３０は、主として、原水に含まれる窒素成分を除去する分解処理槽３２と、分解処理槽３２を水面下の所定位置に保持する複数の浮き部材３４…と、を備えている。
【００６１】
分解処理槽３２の下面には、原水を導入するための導入口３６が形成されている。この導入口３６は、吸水ポンプ３８（循環手段）を介して導入配管４０と接続されている。また、分解処理槽３２内で処理した後の処理水を水域に返送するための返送管４２（排出口）が、分解処理槽３２の上部に延設されている。このように、原水を分解処理槽３２内に取り込み、窒素除去した後の処理水を返送管４２から水域に返送する循環水流が生じるようになっている。
【００６２】
吸水ポンプ３８としては、水域から原水を分解処理槽３２内に導入し、処理水を水域へ返送する循環水流を生じさせるものであれば公知公用のものが使用できる。
【００６３】
分解処理槽３２内には、本発明に係る包括固定化担体４４が充填されている。包括固定化担体４４の充填率は、２０〜７０％とすることが好ましい。また、包括固定化担体４４が分解処理槽３２内から流出するのを防止するため、包括固定化担体４４を網状のネット４６（分離手段）で包むのが好ましい。また、ネット４６の代わりに、包括固定化担体４４が分解処理槽３２内から流出するのを防止するためのスクリーン（不図示）を導入口３６及び返送管４２の開口部に設けることもできる。
【００６４】
分解処理槽３２は、ロープ４８を介して複数の浮き部材３４…に連結され、水面下の所定位置に浮遊できるようになっている。
【００６５】
次に、本実施形態の窒素除去装置３０の作用について説明する。
【００６６】
まず、水域から取り込んだ原水は、導入配管４０を介して分解処理槽３２内に導入される。次いで、導入された原水は、分解処理槽３２内に充填されたメタン醗酵のグラニュール汚泥を含む包括固定化担体４４と接触する。このとき、メタン醗酵のグラニュール汚泥１８に含まれるメタン生成菌等の作用により、原水中の窒素成分が除去される。その後、窒素成分が除去された処理水が返送管４２から排出され、水域に返送される。
【００６７】
これにより、湖、ダム湖、濠、内海等のようにＢＯＤを低濃度にしか含まず、しかも藍藻類が発生しやすい閉鎖性水域における窒素成分の除去を効率的に行うことができ、毒素であるミクロシスチンを生成する藍藻類の増殖を抑制すると共に、処理による環境の二次汚染を防止できる。また、分解処理槽を閉鎖性水域の水面下に浮遊させることができるので、地表に設置スペースを確保する必要がなくなる上、閉鎖性水域を広範囲にわたって浄化することができる。
【００６８】
なお、分解処理槽３２における導入口３６や返送管４２の設置位置及び設置形態は、上記実施形態に限定されない。例えば、導入口３６を分解処理槽３２の側面に形成することもでき、又は導入口３６と返送管４２とを兼用して形成することもできる。また、分解処理槽３２も図４の形状に限定されることはない。
【００６９】
以上、本発明に係る窒素除去方法及び窒素除去装置の各種実施形態について説明したが、本発明は上記実施形態に限定されるものではない。
【実施例】
【００７０】
次に、実施例により、本発明を更に詳細に説明するが、本発明は以下の実施例に限定されるものではない。
【００７１】
１．模擬湖沼水の窒素除去試験
本発明に係るメタン醗酵のグラニュール汚泥を実験用水槽内に貯留した模擬湖沼水に直接散布して、模擬湖沼水の窒素除去性能を評価した。
【００７２】
[実施例１]
（試験１）
補酵素Ｆ４２０の含有量が２５０μｍｏｌ／ｋｇ−ＶＳＳのメタン醗酵のグラニュール汚泥を、模擬湖沼水を３ｍ３満たした実験用水槽（水面面積４ｍ２、容積４ｍ３）に１００ｇ−ＶＳＳ散布した。初期の模擬湖沼水の水質は、Ｔ−Ｎ：４ｍｇ／Ｌ（ＮＨ４−Ｎ：２ｍｇ／Ｌ、ＮＯ３−Ｎ：２ｍｇ／Ｌ）、ミクロシスチン濃度：８μｇ／Ｌ、ＢＯＤ：８ｍｇ／Ｌであった。時間経過に伴い、模擬湖沼水中のＴ−Ｎ及びミクロシスチン濃度が低下し、４週間後にはＴ−Ｎ：１ｍｇ／Ｌ以下、ミクロシスチン濃度：１μｇ／Ｌまで低下した。
【００７３】
（試験２）
補酵素Ｆ４２０の含有量が２５０μｍｏｌ／ｋｇ−ＶＳＳのメタン醗酵のグラニュール汚泥を、毎日１回、実験用水槽（容積４ｍ３）に１０ｇ−ＶＳＳ散布した。初期の模擬湖沼水の水質は、Ｔ−Ｎ：５ｍｇ／Ｌ（ＮＨ４−Ｎ：２ｍｇ／Ｌ、ＮＯ３−Ｎ：３ｍｇ／Ｌ）、ミクロシスチン濃度：８μｇ／Ｌ、ＢＯＤ：６ｍｇ／Ｌであった。時間経過に伴い、模擬湖沼水中のＴ−Ｎ及びミクロシスチン濃度が低下し、試験開始から２週間後にはＴ−Ｎ：１ｍｇ／Ｌ以下、ミクロシスチン濃度：１μｇ／Ｌまで低下した。
【００７４】
これらの結果から、模擬湖沼水中の窒素成分をすることができ、アオコの増殖及びこれによるミクロシスチンの生成を確実に抑制できることがわかった。
【００７５】
（試験３）
補酵素Ｆ４２０の含有量が２５０μｍｏｌ／ｋｇ−ＶＳＳのグラニュール汚泥を、模擬湖沼水を３．５ｍ３満たした実験水槽（容積４ｍ３）に１００ｇ−ＶＳＳ散布した。初期の模擬湖沼水はアオコが発生していないもので、水質はＴ−Ｎ：４ｍｇ／Ｌ（ＮＨ４−Ｎ：２ｍｇ／Ｌ、ＮＯ３−Ｎ：２ｍｇ／Ｌ）、ＢＯＤ：２．６ｍｇ／Ｌであった。時間経過に伴って模擬湖沼水中のＴ−Ｎが低下し、４週間後にはＴ−Ｎ：１ｍｇ／Ｌ以下まで低下し、ミクロシスチン濃度は試験開始時とほぼ変わらずゼロであった。
【００７６】
これにより、模擬湖沼水中の窒素成分を除去することができ、アオコの発生及びこれによるミクロシスチンの生成を確実に抑制できることがわかった。
【００７７】
[実施例２]
本発明に係るメタン醗酵のグラニュール汚泥を充填した図２の分解処理槽を用いて、模擬湖沼水の窒素除去性能を評価した。
【００７８】
（試験１）
図２の窒素除去装置１０を用いて、模擬湖沼水の窒素除去試験を行った。
【００７９】
補酵素Ｆ４２０の含有量が２５０μｍｏｌ／ｋｇ−ＶＳＳのメタン醗酵のグラニュール汚泥を、分解処理槽１２に充填率４０％で充填した。そして、導入配管１４から分解処理槽１２内に模擬湖沼水（Ｔ−Ｎ：４ｍｇ／Ｌ（ＮＯ３−Ｎ：４ｍｇ／Ｌ）、ミクロシスチン濃度：８μｇ／Ｌ、ＢＯＤ：８ｍｇ／Ｌ）を供給し、分解処理槽１２内のグラニュール汚泥と所定時間接触させた。この結果、Ｔ−Ｎ除去率は試験開始から２週間後には安定し、その後約１年間は滞留時間３０分でＴ−Ｎ除去率５０〜６０％の安定した処理が可能となった。
【００８０】
（試験２）
図２の窒素除去装置１０を用いて、模擬湖沼水の窒素除去試験を行った。
【００８１】
補酵素Ｆ４２０の含有量が２５０μｍｏｌ／ｋｇ−ＶＳＳのメタン醗酵のグラニュール汚泥を、分解処理槽１２に充填率４０％で充填した。そして、導入配管１４から分解処理槽１２内に模擬湖沼水（Ｔ−Ｎ：４ｍｇ／Ｌ（ＮＨ４−Ｎ：２ｍｇ／Ｌ、ＮＯ３−Ｎ：２ｍｇ／Ｌ）、ミクロシスチン濃度：８μｇ／Ｌ、ＢＯＤ：５０ｍｇ／Ｌ）を供給し、分解処理槽１２内のグラニュール汚泥と所定時間接触させた。Ｔ−Ｎ除去率は、処理開始から２週間後には安定し、その後約１年間は滞留時間３０分でＴ−Ｎ除去率５０〜６０％の安定した処理が可能となった。
【００８２】
以上から、模擬湖沼水中の窒素成分を除去することができ、アオコの増殖及びこれによるミクロシスチンの生成を確実に抑制できることがわかった。
【００８３】
[実施例３]
本発明に係るメタン醗酵のグラニュール汚泥を包括固定した包括固定化担体を図２の分解処理槽１２に充填し、模擬湖沼水の窒素除去性能を評価した。
【００８４】
＜包括固定化担体１８の組成＞
・グラニュール汚泥（補酵素Ｆ４２０の含有量２５０μｍｏｌ／ｋｇ−ＶＳＳ）
・  汚泥濃度  ：２質量％（包括固定化担体あたり）
・  固定化材料：アクリルアミド                  １５質量％
・              メチレンビスアクリルアミド        １質量％
・  重合促進剤：ＮＮＮ’Ｎ’テトラメチルエチレンジアミン    ０．５質量％
・  重合開始剤：過硫酸カリウム                              ０．２５質量％
上記のように、グラニュール汚泥を固定化材料（アクリルアミド／メチレンビスアクリルアミド液）に添加及び混合して懸濁液を調製した。次いで、懸濁液に過硫酸カリウム、ＮＮＮ’Ｎ’テトラメチルエチレンジアミンを添加して、重合温度１０℃、重合時間５分でゲル化（重合）させた。そして、ゲル化させた担体を約３ｍｍ径の球状に成形してペレット化し、これにより本例の包括固定化担体を製造した。
【００８５】
上記の如く得られた包括固定化担体を、図２における分解処理槽１２に充填率３８％で充填した。そして、模擬湖沼水（Ｔ−Ｎ：４ｍｇ／Ｌ（ＮＨ４−Ｎ：２ｍｇ／Ｌ、ＮＯ３−Ｎ：２ｍｇ／Ｌ）、ミクロシスチン濃度：８μｇ／Ｌ、ＢＯＤ：８ｍｇ／Ｌ、溶存酸素：２〜３ｍｇ／Ｌ）を導入配管１４から分解処理槽１２内へ供給し、分解処理槽１２内の包括固定化担体と所定時間接触させた。処理開始から３週間経過後にはＴ−Ｎ除去率が安定し、その後約１年間は滞留時間１時間でＴ−Ｎ除去率６０〜７０％の安定した処理が可能となった。アンモニア性窒素は、流入溶存酸素の供給を受け、硝化されてから脱窒されるか、或いは嫌気性アンモニア酸化反応により脱窒されているものと考えられる。
【００８６】
以上から、模擬湖沼水中の窒素成分を除去することができ、アオコの増殖及びこれによるミクロシスチンの生成を確実に抑制できることがわかった。
【００８７】
[実施例４]
メタン醗酵のグラニュール汚泥を包括固定した包括固定化担体と、生分解性プラスチックを充填した図３の分解処理槽を用いて、水域の窒素除去試験を実施した。
【００８８】
実施例３と同様の包括固定化担体を、図３における分解処理槽１２に充填率３８％で充填した。さらに、ポリカプロラクタムの生分解性プラスチック粒子を充填率１０％で充填した。そして、模擬湖沼水（Ｔ−Ｎ：４ｍｇ／Ｌ（ＮＨ４−Ｎ：２ｍｇ／Ｌ、ＮＯ３−Ｎ：２ｍｇ／Ｌ）、ミクロシスチン濃度：８μｇ／Ｌ、ＢＯＤ：１４ｍｇ／Ｌ、溶存酸素：２〜３ｍｇ／Ｌ）を導入配管１４から分解処理槽１２内へ供給し、分解処理槽１２内の包括固定化担体と所定時間接触させた。処理開始から３週間経過後にはＴ−Ｎ除去率が安定し、その後約１年間は滞留時間１時間でＴ−Ｎ除去率８０〜９５％の安定した処理が可能となった。
【００８９】
これは、生分解性プラスチック粒子のポリカプロラクタムが水素供与体となり、脱窒反応が進行したためであると考えられる。
【００９０】
以上から、本発明に係るグラニュール汚泥を用いることで、低ＢＯＤ濃度の水域に含まれる窒素成分を除去することができ、アオコの発生を抑制できることが確認できた。
【００９１】
２．グラニュール汚泥のメタン醗酵活性
まず、グラニュール汚泥のメタン醗酵活性を補酵素Ｆ４２０の含有量で評価した。また、補酵素Ｆ４２０の含有量とＴ−Ｎ除去率（Ｔ−Ｎ除去活性）との関係を検討した。図２の分解処理槽１２内に、メタン醗酵活性の異なるグラニュール汚泥を充填率４０％で充填し、模擬湖沼水のＴ−Ｎ除去特性を評価した。なお、模擬湖沼水は、Ｔ−Ｎ：５ｍｇ／Ｌ（ＮＨ４−Ｎ：２ｍｇ／Ｌ、ＮＯ３−Ｎ：３ｍｇ／Ｌ）を用い、滞留時間は１時間とした。この結果を図５に示す。
【００９２】
図５に示されるように、グラニュール汚泥中の補酵素Ｆ４２０の含有量が１００μｍｏｌ／ｋｇ−ＶＳＳ以上、好ましくは２００μｍｏｌ／ｋｇ−ＶＳＳ以上であれば、模擬湖沼水のＴ−Ｎ除去率が高くなる傾向が得られた。
【００９３】
さらに、Ｔ−Ｎ除去負荷とメタン醗酵のグラニュール汚泥の減容量との関係について評価した。この結果を表１に示す。
【００９４】
【表１】
2008068233.tif 000004
表１に示されるように、Ｔ−Ｎ除去負荷の増加に伴い、メタン醗酵のグラニュール汚泥の減容量も増加する。実際的なＴ−Ｎ除去負荷の範囲では、メタン醗酵のグラニュール汚泥の補充量は５〜１５％程度であることがわかった。
【００９５】
３．固定化材料の種類（付着固定化用、包括固定化用）
次に、付着固定化用、包括固定化用の固定化材料の種類と模擬湖沼水のＴ−Ｎ除去率との関係について評価した。
【００９６】
まず、各種固定化材料に２質量％のメタン醗酵のグラニュール汚泥を付着固定又は包括固定し、各種付着固定化担体及び包括固定化担体を作製した。作製した包括固定化担体の組成を以下に示す。
【００９７】
【表２】
2008068233.tif 000005
上記付着固定化担体及び包括固定化担体を、図２の分解処理槽１２内に充填率４０％となるように充填した。そして、分解処理槽１２内に模擬湖沼水を通水し、それぞれのＴ−Ｎ除去率を測定した。なお、模擬湖沼水は、Ｔ−Ｎ：５ｍｇ／Ｌ（ＮＨ４−Ｎ：２ｍｇ／Ｌ、ＮＯ３−Ｎ：３ｍｇ／Ｌ）のものを使用した。この結果を表３に示す。
【００９８】
【表３】
2008068233.tif 000006
表３に示されるように、いずれの付着固定化担体、包括固定化担体もＴ−Ｎ除去速度は良好であった。中でも、包括固定化担体の方が、メタン醗酵のグラニュール汚泥の固定量が同量であっても、Ｔ−Ｎ除去速度が高いことがわかった。これは、包括固定化担体の方が、付着固定化担体よりもメタン醗酵のグラニュール汚泥が脱離しにくく、水との接触効率も良好であるためと考えられる。
【図面の簡単な説明】
【００９９】
【図１】本実施形態における包括固定化担体の製造方法の一例を示したフローチャート図である。
【図２】第１実施形態の窒素除去装置の構成を説明する説明図である。
【図３】第２実施形態の窒素除去装置の構成を説明する説明図である。
【図４】第３実施形態の窒素除去装置の構成を説明する説明図である。
【図５】本実施例のグラフ図である。
【符号の説明】
【０１００】
１０、２０…窒素除去装置、１２、３２…分解処理槽、１４、４０…導入配管、１６…排出配管、１８…グラニュール汚泥、２２…生分解性プラスチック、３６…導入口、３８…吸水ポンプ、４２…返送管、４４…包括固定化担体
【図１】
2008068233.tif 000007
【図２】
2008068233.tif 000008
【図３】
2008068233.tif 000009
【図４】
2008068233.tif 000010
【図５】
2008068233.tif 000011